(57)【要約】      （修正有）【課題】摩耗状況を瞬時に細かく判別でき、パターンノイズの増大や耐偏摩耗性の低下を招来せず、新品時にもウェアインジケータを消費者に分かり易く印象付けることができる、空気入りタイヤを提供する。【解決手段】空気入りタイヤ１のタイヤ径方向の最も外側で露出し、その表面が空気入りタイヤ１の輪郭となるゴム材（トレッドゴム）からなるトレッド部１０にタイヤ周方向に延在する縦溝１４が設けられており、前記トレッド部１０に形成された前記縦溝１４の溝壁面１４ａに、トレッド表面１２とは異なる色で摩耗度識別線２２を形成したことを特徴とする。【選択図】図１
2014125119.tif 000002
【特許請求の範囲】
【請求項１】
トレッド部に形成された溝の溝壁面に、トレッド表面とは異なる色で摩耗度識別線を形成した、空気入りタイヤ。
【請求項２】
前記溝は、タイヤ周方向溝である、請求項１に記載の空気入りタイヤ。
【請求項３】
前記摩耗度識別線は、前記溝の深さ方向に複数本形成されている、請求項１又は２に記載の空気入りタイヤ。
【請求項４】
前記摩耗度識別線は、異なる色で表示されている、請求項３に記載の空気入りタイヤ。
【請求項５】
前記摩耗度識別線は、白又は有彩色で表示されている、請求項１から４のいずれか１項に記載の空気入りタイヤ。
【請求項６】
前記摩耗度識別線の本数は５本以下である、請求項３から５のいずれか１項に記載の空気入りタイヤ。
【請求項７】
前記摩耗度識別線の太さは、０．５ｍｍ以上２．０ｍｍ以下である、請求項１から６のいずれか１項に記載空気入りタイヤ。
【請求項８】
前記摩耗度識別線は、蛍光塗料によって着色されたものである、請求項１から７のいずれか１項に記載空気入りタイヤ。
【請求項９】
前記摩耗度識別線は、蓄光塗料によって着色されたものである、請求項１から８のいずれか１項に記載空気入りタイヤ。
【発明の詳細な説明】
【技術分野】
【０００１】
本発明は、ウェアインジケータが形成された空気入りタイヤに関する。
【背景技術】
【０００２】
従来、様々なウェアインジケータ等が形成された空気入りタイヤが知られている（例えば、特許文献１から６参照）。特許文献１に開示された技術は、セーフティ・ラインを規定する溝底とスリップサインに塗料で色付けをした技術である。また、特許文献２、４、５に開示された技術は、トレッド表層部とは異なる色のゴム部材を埋め込んだ技術である。さらに、特許文献３、６に開示された技術は、トレッド踏面に凹部や文字を形成した技術である。
【先行技術文献】
【特許文献】
【０００３】
【特許文献１】特開平８−２５８５１７号公報
【特許文献２】特開平１０−７６８１４号公報
【特許文献３】特開２００６−２３２１５２号公報
【特許文献４】特開２００４−２０３３１８号公報
【特許文献５】登録実用新案第３１３０３７５号公報
【特許文献６】特開２００１−３０７２１号公報
【発明の概要】
【発明が解決しようとする課題】
【０００４】
しかしながら、上記特許文献１に開示された技術では、ウェアインジケータがタイヤ径方向での摩耗状況を判断する指標ではないため、セーフティ・ラインが路面と接触するまで、摩耗状況を瞬時に細かく判別することが困難である。
【０００５】
また、上記特許文献２、４、５に開示された技術では、トレッドにトレッドゴムとは別部材を埋め込んでいるため、当該別部材を埋め込まない場合に比べて、パターンノイズの増大や耐偏摩耗性の低下を招来するおそれがある。なお、これらの中でも、特に、特許文献４に開示された技術については、新品時にはトレッド表面に上記別部材が現れていないため、新品時にウェアインジケータを消費者に分かり易く印象付けることが困難である。
【０００６】
さらに、上記特許文献３、６に開示された技術では、ウェアインジケータとして機能する構成箇所がその他の箇所と同色であるため、摩耗の進行度を確認する際に、ウェアインジケータがトレッド表面と見かけ上同調し、摩耗状況を瞬時に細かく判別することが困難である。
【０００７】
本発明は、上記事情に鑑みてなされたものであって、摩耗状況を瞬時に細かく判別することができるとともに、パターンノイズの増大や耐偏摩耗性の低下を招来することなく、新品時にもウェアインジケータを消費者に分かり易く印象付けることができる、空気入りタイヤを提供することを目的とする。
【課題を解決するための手段】
【０００８】
上記課題を解決するために、本発明に係る空気入りタイヤは、トレッド部に形成された溝の壁面に、トレッド表面とは異なる色で摩耗度識別線を形成したことを特徴とする。
【発明の効果】
【０００９】
本発明に係る空気入りタイヤでは、ウェアインジケータとして、溝の壁面にトレッド表面とは異なる色の摩耗度識別線が形成されている。その結果、摩耗状況を瞬時に細かく判別でき、パターンノイズの増大や耐偏摩耗性の低下を招来せず、新品時にもウェアインジケータを消費者に分かり易く印象付けることができる。
【図面の簡単な説明】
【００１０】
【図１】図１は、本発明の実施の形態に係る空気入りタイヤのトレッド部の表面を示す斜視図である。
【図２】図２は、図１に示すトレッド部を、同図とは別の角度で示す斜視図である。
【発明を実施するための形態】
【００１１】
以下に、本発明に係る空気入りタイヤの実施の形態（以下に示す、基本形態及び付加的形態１から１１）を、図面に基づいて詳細に説明する。なお、これらの実施の形態は、本発明を限定するものではない。また、上記実施の形態の構成要素には、当業者が置換可能かつ容易なもの、或いは実質的に同一のものが含まれる。さらに、上記実施の形態に含まれる各種形態は、当業者が自明の範囲内で任意に組み合わせることができる。
【００１２】
［基本形態］
以下に、本発明に係る空気入りタイヤについて、その基本形態を説明する。以下では、本実施の形態の空気入りタイヤの構成を説明した上で、当該空気入りタイヤの製造方法について説明する。
【００１３】
以下の説明において、タイヤ径方向とは、空気入りタイヤの回転軸と直交する方向をいい、タイヤ径方向内側とはタイヤ径方向において回転軸に向かう側、タイヤ径方向外側とはタイヤ径方向において回転軸から離れる側をいう。また、タイヤ周方向とは、上記回転軸を中心軸とする周り方向をいう。さらに、タイヤ幅方向とは、上記回転軸と平行な方向をいい、タイヤ幅方向内側とはタイヤ幅方向においてタイヤ赤道面に向かう側、タイヤ幅方向外側とはタイヤ幅方向においてタイヤ赤道面から離れる側をいう。なお、タイヤ赤道面とは、空気入りタイヤの回転軸に直交するとともに、空気入りタイヤのタイヤ幅の中心を通る平面である。
【００１４】
（空気入りタイヤの構成）
図１は、本発明の実施の形態に係る空気入りタイヤのトレッド部の表面を示す斜視図である。同図に示す空気入りタイヤ１は、トレッド部１０を有している。トレッド部１０は、ゴム材（トレッドゴム）からなり、空気入りタイヤ１のタイヤ径方向の最も外側で露出し、その表面が空気入りタイヤ１の輪郭となる。このトレッド部１０の表面は、空気入りタイヤ１を装着する車輌（図示せず）が走行した際に路面と接触する面であるトレッド表面１２として形成されている。
【００１５】
トレッド表面１２には、図１に示すように、タイヤ周方向に延在する３本の縦溝１４が設けられている。トレッド表面１２には、縦溝１４よりも細幅の、図示しない周方向に延在する細溝を設けることもできる。
【００１６】
また、トレッド表面１２には、縦溝１４から又は縦溝１４の近傍から、縦溝１４に隣接する陸部１６内で終端する横溝１８が設けられている。さらに、トレッド表面１２内には、横溝１８と同じタイヤ周方向ピッチで、タイヤ幅方向に対して傾斜した飾り溝２０が設けられている。
【００１７】
これにより、トレッド表面１２には、複数の溝１４、１８及び飾り溝２０によって陸部１６が区画形成されている。本実施の形態においては、トレッド表面１２に３本の縦溝１４をそれぞれ境にして、４つの陸部１６Ａ、１６Ｂ、１６Ｃ、１６Ｄが設けられている。
【００１８】
図２は、図１に示すトレッド部１０を、同図とは別の角度で示す斜視図である。図１と図２との対応関係は、各陸部１６Ａから１６Ｄの設けられた位置により、明確に判断することができる。図２においては、同図中に現れる縦溝１４の延在方向が、ほぼ水平方向となっている。
【００１９】
このように構成された図１、図２に示す空気入りタイヤ１においては、トレッド部１０に形成された溝、図１に示すところでは縦溝１４、の壁面１４ａに、トレッド表面１２とは異なる色で摩耗度識別線２２が形成されている。摩耗度識別線２２は、タイヤ径方向外側から内側に向けて順に形成された、タイヤ周方向に延在する４本の線２２Ａ、２２Ｂ、２２Ｃ、２２Ｄから構成されている。なお、この４本の線は、形成する壁面によっては、横溝１８により、分断されることもある。
【００２０】
また、図１、２に示す空気入りタイヤにおいては、トレッド部１０に形成された別の溝、図２に示すところではタイヤ幅方向の最外側の横溝１８、の壁面１８ａに、トレッド表面１２とは異なる色で摩耗度識別線２４が形成されている。摩耗度識別線２４は、タイヤ径方向外側から内側に向けて順に形成された、タイヤ周方向に延在する４本の線２４Ａ、２４Ｂ、２４Ｃ、２４Ｄから構成されている。
【００２１】
ここで、摩耗度識別線２２、２４とは、ウェアインジケータの一種であり、空気入りタイヤ１の新品時からのトレッド部１０の摩耗程度を視認により判断するための、単数又は複数の線からなる識別標識である。
【００２２】
ここで、視認とは、空気入りタイヤ１を正規リムに組んで、正規内圧を充填するとともに、車両に装着した状況下において、空気入りタイヤ１から１ｍ離間したユーザーがしゃがんだ状態で目視により認識することをいう。
【００２３】
正規リムとは、ＪＡＴＭＡで規定する「標準リム」、ＴＲＡで規定する「Design Rim」、あるいは、ＥＴＲＴＯで規定する「Measuring Rim」である。また、正規内圧とは、車両毎に設定されている車両指定空気圧である。
【００２４】
なお、図１、２に示す空気入りタイヤにおいては、ウェアインジケータとして、縦溝１４の壁面１４ａには摩耗度識別線２２（２２Ａ、２２Ｂ、２２Ｃ、２２Ｄ）を、そして、タイヤ幅方向最外側の横溝１８の壁面１８ａには、別の摩耗度識別線２４（２４Ａ、２４Ｂ、２４Ｃ、２４Ｄ）を設けている。しかしながら、これらの摩耗度識別線２２、２４は、そのいずれか一方のみを設けてもよい。
【００２５】
以上のように、本実施の形態では、図１、２に示すトレッド部１０に設けられた縦溝１４、１８の壁面１４ａ、１８ａに、トレッド表面１２とは異なる色で摩耗度識別線２２、２４が形成されている。この摩耗度識別線２２、２４は、タイヤ径方向での摩耗状況を判断する指標であり、しかもトレッド表面１２とは異なる色で構成されている。このため、本実施の形態の空気入りタイヤ１によれば、摩耗開始からトレッド部１０の摩耗状況を瞬時に細かく判別することができる。
【００２６】
また、図１、２に示す摩耗度識別線２２、２４は、トレッドゴムとは別部材を当該ゴムに埋め込んで形成されたものではなく、単に、トレッドゴムからなる壁面１４ａ、１８ａに塗料等を線引き等して形成したものである。このため、本実施の形態の空気入りタイヤ１によれば、上記別部材を埋め込む場合と異なり、パターンノイズの低減や耐偏摩耗性の低下を招来することはない。
【００２７】
さらに、本実施の形態の摩耗度識別線２２、２４は、新品時にも溝１４、１８の壁面１４ａ、１８ａに露出していて視認可能である。このため、本実施の形態の空気入りタイヤ１によれば、新品時にも、ウェアインジケータとしての摩耗度識別線２２、２４を、消費者に分かり易く印象付けることができる。
【００２８】
なお、以上に示す、本実施形態の空気入りタイヤ１は、図示しないが、従来の空気入りタイヤと同様の子午断面形状を有する。ここで、空気入りタイヤの子午断面形状とは、タイヤ赤道面と垂直な平面上に現れる空気入りタイヤの断面形状をいう。本実施の形態の空気入りタイヤ１は、タイヤ子午断面視で、タイヤ径方向内側から外側に向かって、ビード部、サイドウォール部及びトレッド部を有する。そして、空気入りタイヤ１は、例えば、タイヤ子午断面視で、トレッド部から両側のビード部まで延在して一対のビードコアの周りで巻回されたカーカス層と、上記カーカス層のタイヤ径方向外側に順次形成された、ベルト層及びベルト補強層とを備える。
【００２９】
（空気入りタイヤの製造方法）
本実施の形態の空気入りタイヤ１は、通常の各製造工程、即ち、タイヤ材料の混合工程、タイヤ材料の加工工程、グリーンタイヤの成型工程、加硫工程及び加硫後の検査工程等を経て得られる。そして、空気入りタイヤ１は、特に、トレッド部１０に形成された溝１４、１８の壁面１４ａ、１８ａに、トレッド表面１２とは異なる色で摩耗度識別線２２（２２Ａ、２２Ｂ、２２Ｃ、２２Ｄ）、２４（２４Ａ、２４Ｂ、２４Ｃ、２４Ｄ）を形成することにより得られる。以下では、上記摩耗度識別線２２、２４の形成について、付記する。
【００３０】
即ち、摩耗度識別線２２、２４の形成方法としては、（Ｉ）摩耗度識別線を表示する溝の壁面の特定箇所に、着色剤（顔料、染料等）を配合する方法、（ＩＩ）摩耗度識別線を表示する溝の壁面の特定箇所に着色剤で印刷を施す方法、（ＩＩＩ）摩耗度識別線を表示する溝の壁面の特定箇所に、着色ステッカー等を貼り付ける方法、及び（ＩＶ）摩耗度識別線を表示する溝の壁面の特定箇所に、塗料を塗布する方法等が挙げられる。
【００３１】
以上のような、空気入りタイヤの製造方法によれば、溝１４、１８の壁面１４ａ、１８ａに、ウェアインジケータとして、トレッド表面とは異なる色の摩耗度識別線２２、２４を形成することができる。このため、この製造方法により得られた空気入りタイヤ１は、摩耗状況を瞬時に細かく判別でき、パターンノイズの増大や耐偏摩耗性の低下を招来せず、新品時にもウェアインジケータを消費者に分かり易く印象付けることができる。
【００３２】
[付加的形態]
次に、本発明に係る空気入りタイヤの上記基本形態に対して、任意選択的に実施可能な、付加的形態１から１１を説明する。
【００３３】
（付加的形態１）
本実施の形態の空気入りタイヤにおいて、摩耗度識別線の形成箇所は、基本的には、図１に示すような縦溝１４の壁面１４ａであってもよいし、その他の溝、例えば、図２に示すような横溝１８、の壁面１８ａであってもよい。これは、いずれの壁面１４ａ、１８ａに摩耗度識別線２２、２４を形成した場合であっても、ユーザーが摩耗度識別線２２、２４を視認できる可能性があるためである。
【００３４】
しかしながら、これらの形成箇所の中でも、特に、図１に示す箇所、即ち縦溝１４の壁面１４ａに、摩耗度識別線２２を形成すること（付加的形態１）が、ユーザーが摩耗度識別線２２を比較的はっきりと視認できることから、好ましい。また、図１に示す箇所への形成では、空気入りタイヤを車輌に装着したままの状態で、ハンドルを切れないリアタイヤであっても、ユーザーが摩耗度識別線２２を容易に視認することができる。従って、この形態は、特に、サーキット走行時など、摩耗度を瞬時に認識する必要がある状況下で有効である。
【００３５】
さらに、タイヤの回転方向が指定されているタイヤ、即ち、車輌に対してその装着方向が一方向に定められているタイヤについては、縦溝１４の壁面の中でも、車輌装着内側の壁面に摩耗度識別線を形成することが、ユーザーが摩耗度識別線を確実に視認できることから、さらに好ましい。
【００３６】
これに対し、タイヤの回転方向が指定されていないタイヤ、即ち、車輌に対してその装着方向がいずれでもよいタイヤについては、縦溝１４の両壁面に摩耗度識別線を設けることが好ましい。これにより、一旦タイヤを車輌から取り外してタイヤを逆向きに再度装着した場合においても、ユーザーが摩耗度識別線を確実に視認することができる。
【００３７】
（付加的形態２）
本実施の形態の空気入りタイヤにおいては、摩耗度識別線２２、２４は、基本的には、溝１４、１８の深さ方向にそれぞれ少なくとも１本形成されていればよいが、図１、２に示すように、複数本形成されていること（付加的形態２）が好ましい。ここで、溝の深さ方向とは、タイヤ径方向を意味する。空気入りタイヤの摩耗は、トレッドゴムのタイヤ径方向における消耗現象であるところ、摩耗度識別線２２、２４を構成する線が、溝１４、１８の深さ方向に複数本形成されている場合には、空気入りタイヤの摩耗を段階的に確認することができる。従って、この形態は、特に、サーキット走行時など、摩耗度を細かく認識する必要がある状況下で有効である。
【００３８】
（付加的形態３）
本実施の形態の本実施の形態の空気入りタイヤにおいては、摩耗度識別線２２を構成する各線が、また、摩耗度識別線２４を構成する各線が、異なる色で表示されていること（付加的形態３）が好ましい。上記各線の色を、対応する摩耗度によって使い分けることで、ユーザーにより直感的に摩耗度を認識させることができる。従って、この形態は、特に、サーキット走行時など、摩耗度を瞬時に細かく認識する必要がある状況下で有効である。なお、本形態においては、摩耗度識別線２２、２４を構成する線は、その一部同士が異色であってもよいし、またその全部が異色であってもよい。
【００３９】
例えば、図１、２に示す例のように、摩耗度識別線２２、２４がそれぞれ４本の線から構成される場合には、摩耗度識別線２２（２４）について、使用後まもなく摩耗する線２２Ａ（２４Ａ）を白で表示し、摩耗初期（車輌走行安全時）に摩耗する線２２Ｂ（２４Ｂ）を青で表示するとともに、摩耗中期（タイヤ取替喚起時）に摩耗する線２２Ｃ（２４Ｃ）を黄で表示し、さらに摩耗後期（タイヤ取替必要時）に摩耗する線２２Ｄ（２４Ｄ）を赤で表示することが好ましい。このような色の使い分けにより、ユーザーは信号機の色を連想して、空気入りタイヤの取替え必要程度を瞬時に把握することができる。
【００４０】
（付加的形態４）
本実施の形態の空気入りタイヤにおいては、摩耗度識別線２２を構成する各線のうち少なくとも１本が、また、摩耗度識別線２４を構成する各線のうち少なくとも１本が、白又は有彩色で表示されていること（付加的形態４）が好ましい。有彩色とは、色の三属性である色相、明度及び彩度を併せ持つ色（例えば、赤、緑、青）であり、換言すれば、色の三属性である色相、明度及び彩度のうち明度だけを持つ黒、灰、白以外の色である。
【００４１】
空気入りタイヤの外観色は、通常、黒又は黒に酷似した色（黒等）であり、この黒等に対して白又は有彩色は、瞬時に判別が可能である。従って、この形態は、特に、サーキット走行時など、摩耗度を瞬時に認識する必要がある状況下で有効である。
【００４２】
（付加的形態５）
本実施の形態の空気入りタイヤにおいては、摩耗度識別線２２、２４のそれぞれについて、摩耗度識別線２２、２４を構成する線の本数は５本以下であること（付加的形態５）が好ましい。摩耗度識別線２２、２４を構成する線の数が６本以上である場合には、ユーザーが瞬時に、特定の線を、その色から、タイヤ径方向において何本目の線であるのか判断するのに時間がかかり、摩耗度を容易に判断することが困難である。換言すれば、摩耗度識別線２２、２４を構成する線の本数が５本以下であれば、ユーザーは、瞬時に、特定の線を、その色から、タイヤ径方向において何本目の線であるのか容易に判断することができる。従って、この形態は、特に、サーキット走行時など、摩耗度を細かく瞬時に認識する必要がある状況下で有効である。
【００４３】
（付加的形態６）
本実施の形態の空気入りタイヤにおいては、摩耗度識別線２２、２４を構成する線の太さは、０．５ｍｍ以上２．０ｍｍ以下であること（付加的形態６）が好ましい。摩耗度識別線２２、２４を構成する線の太さを０．５ｍｍ以上とすることで、その線を、当該線を形成する溝１４、１８の壁面１４ａ、１８ａに対しても、また当該線が複数本形成されている場合にはと隣り合う他の線に対しても、ユーザーに明確に認識させることができる。また、摩耗度識別線２２、２４を構成する線の太さを２．０ｍｍ以下とすることで、線を複数本形成する場合に、段階的な細かい摩耗度の設定が可能となる。
【００４４】
（付加的形態７）
本実施の形態の空気入りタイヤにおいては、摩耗度識別線２２、２４は、蛍光塗料によって着色されたものであること（付加的形態７）が好ましい。ここで、蛍光塗料とは、紫外線などの電磁波エネルギーを吸収して電子が励起し、その電子が基底状態に戻る際に異なった電磁波を発生させる材料からなる塗料をいう。蛍光塗料の例としては、蛍光染料、有機蛍光顔料及び無機蛍光顔料等が挙げられる。
【００４５】
空気入りタイヤの外観色は、上述のとおり、通常、黒等であり、この黒等に対して蛍光色は、瞬時に判別が可能である。従って、この形態によれば、特に、ナイトレースなどが開催される夜間時にも容易に摩耗度を確認することができる。なお、本形態においては、摩耗度識別線２２、２４を構成する線は、その一部同士が蛍光塗料によって着色されたものであってもよいし、またその全部が蛍光塗料によって着色されたものであってもよい。
【００４６】
（付加的形態８）
本実施の形態の空気入りタイヤにおいては、摩耗度識別線２２、２４は、蓄光塗料によって着色されたものであること（付加的形態８）が好ましい。ここで、蓄光塗料とは、太陽光や蛍光灯などの光エネルギー（例えば紫外線）を吸収して発光し、光のエネルギーが失われた後も、暗闇で徐々に光を放出する光を蓄えて発光する材料からなる塗料をいう。蓄光塗料の例としては、アクリル系樹脂、ビニル系樹脂及びウレタン樹脂等の樹脂タイプの塗料等が挙げられる。
【００４７】
この形態によれば、上記付加的形態７と同様に、特に、ナイトレースなどが開催される夜間時にも容易に摩耗度を確認することができる。なお、本形態においては、摩耗度識別線２２、２４を構成する線は、その一部同士が蓄光塗料によって着色されたものであってもよいし、またその全部が蓄光塗料によって着色されたものであってもよい。
【００４８】
（付加的形態９）
上記付加的形態７、８においては、いずれも、摩耗度識別線２２、２４は、蓄光性の蛍光体からなる塗料によって着色されたものであること（付加的形態９）が、さらに好ましい。ここで、蓄光性の蛍光体からなる塗料とは、上記蛍光塗料と蓄光塗料との双方の利点を併せ持つ塗料である。蓄光性の蛍光体からなる塗料の種類としては、例えば、アルカリ土類アルミン酸系蛍光体等が挙げられる。
【００４９】
この形態によれば、長時間にわたり蛍光色を呈することができることから、上記付加的形態７、８と比べて、長時間にわたるナイトレースなどにおいても、容易に摩耗度を確認することができる。
【００５０】
（付加的形態１０）
本実施の形態の空気入りタイヤにおいては、溝１４、１８の壁面１４ａ、１８ａのそれぞれにおいて形成する摩耗度識別線２２、２４を、複数本の線によって構成する場合に、隣り合う線の一方の色が他方の色の補色（ＪＩＳＺ８７２１−１９７７に規定される１０色相の色相環に準拠）であるか、上記一方の色が上記他方の色の補色に隣接する色であること（付加的形態１０）が好ましい。ここで、１０色相の色相環において、補色関係にあるとは、例えば、隣り合う線のうちの一方が桃色や朱色等の中間色を含む赤系である場合に、他方の色が上記色相環にて赤系の対極位置にある色、即ち青竹色等の中間色を含む青緑系の色であることをいう。また、１０色相の色相環において、補色に隣接する色であるとは、例えば、隣り合う線のうちの一方が桃色や朱色等の中間色を含む赤系である場合、他方の色が上記色相環にて赤系の補色である青緑系の色の隣りにある中間色を含む青系又は緑系の色であることをいう。
【００５１】
このように、隣り合う線同士を補色関係か、或いは補色に近い関係とすることにより、複数本の線のうち、隣り合う線同士を瞬時に見分けることができる。このため、複数本の線の色を補色関係や補色に近い関係とすることで、段階的な細かい摩耗度の確認を容易に行うことができる。
【００５２】
（付加的形態１１）
本実施の形態の空気入りタイヤにおいては、溝１４、１８の壁面１４ａ、１８ａのそれぞれにおいて形成する摩耗度識別線２２、２４を、複数本の線によって構成する場合に、隣り合う線の一方の色についての明度[Ｖ]と彩度[Ｃ]との和と、他方の色についての明度[Ｖ]と彩度[Ｃ]との和とが、５以上異なること（付加的形態１１）が好ましい。ここで、明度[Ｖ]と彩度[Ｃ]との和について、５以上の差がある色の組み合わせとは、上記和が１４である明るく鮮やかな色と、上記和が４である暗くくすんだ色の組み合わせのように、明るさと鮮やかさに差がある２色をいう。
【００５３】
このように、隣り合う線同士について、明度[Ｖ]と彩度[Ｃ]との和を５以上異ならせることにより、複数本の線のうち、隣り合う線同士を瞬時に見分けることができる。このため、上記明度[Ｖ]及び彩度[Ｃ]の設定により、段階的な細かい摩耗度の確認を容易に行うことができる。
【００５４】
また、この付加的形態においては、さらに、溝１４、１８の壁面１４ａ、１８ａの色についての明度[Ｖ]と彩度[Ｃ]との和と、これらの壁面１４ａ、１８ａのそれぞれに形成する摩耗度識別線２２、２４を構成する線のうち少なくとも１本の線の色についての明度[Ｖ]と彩度[Ｃ]との和とが、５以上異なることも好ましい。このように、溝１４、１８の壁面１４ａ、１８ａと摩耗度識別線２２、２４を構成する線とについて、明度[Ｖ]と彩度[Ｃ]との和を５以上異ならせることにより、壁面１４ａ、１８ａに対して摩耗度識別線２２、２４を構成する線を瞬時に確認することができる。このため、上記明度[Ｖ]及び彩度[Ｃ]の設定により、摩耗度識別線２２、２４を構成する線の確認をより確実に行うことができる。
【００５５】
なお、明度[Ｖ]と彩度[Ｃ]との和を、摩耗度識別線２２、２４中、隣り合う線同士で５以上異ならせる場合も、壁面１４ａ、１８ａと摩耗度識別線２２、２４を構成する線との間で５以上異ならせる場合も、異ならせる２つの色は、同じ色相に限定する必要はない。また、異ならせる２つの色は、明るく鮮やかな有彩色と、暗くくすんだ有彩色とすることもでき、或いは明るく鮮やかな有彩色と、無彩色（例えば、灰）とすることもできる。
【００５６】
以上に示す本実施の形態（基本形態、及び基本形態を含み付加的形態１から１１のいずれかを任意選択的に付加した形態）に従って構成された空気入りタイヤは、いずれも、溝１４、１８の壁面１４ａ、１８ａにウェアインジケータとしての摩耗度識別線２２、２４が形成されている。このため、この空気入りタイヤは、摩耗状況を瞬時に細かく判別でき、パターンノイズの増大や耐偏摩耗性の低下を招来せず、新品時にも摩耗度識別線を消費者に分かり易く印象付けることができる。
【実施例】
【００５７】
表１に示す諸条件（溝壁面への摩耗度識別線の形成の有無、摩耗度識別線を構成する線（以下、「構成線」と称する場合がある）の本数、構成線の色数、構成線の太さ、構成線の色、構成線の形成に際する蛍光塗料又は蓄光塗料の使用、トレッド表面への摩耗度表示用溝（凹部）の形成の有無、トレッド表面への摩耗度表示用埋設物の形成の有無、及び溝底から露出していない異色ゴムの形成の有無）に従い、従来例１、実施例１から実施例７、及び比較例１から比較例３の空気入りタイヤを作製した。なお、実施例３に用いた４本の構成線の色については、隣り合う色を、明度の高い灰色（濃灰）、明度の低い灰色（薄灰）、濃灰、及び薄灰とした。
【００５８】
従来例１、実施例１から実施例７、及び比較例１から比較例３の全てのタイヤについて、タイヤサイズは２２５／４５Ｒ１７とし、摩耗度識別線の形成箇所は周方向溝の壁面とした。なお、従来例は、周方向溝の一部にゴムが隆起した部分をウェアインジケータとして含む。また、比較例１は、トレッド表面にウェアインジケータとして凹部が形成されており、特許文献３に相当する例である。さらに、比較例２は、トレッド部に埋設物がウェアインジケータとして形成されており、特許文献５に相当する例である。加えて、比較例３は、溝底から露出していない異色ゴムをウェアインジケータとして含み、特許文献４に相当する例である。
【００５９】
以上のよう作製した、従来例１、実施例１から実施例７、及び比較例１から比較例３の全てのタイヤを１７×７．５Ｊのリムに空気圧２３０ｋＰａで組み付け、排気量２０００ＣＣのセダン型車輌に装着して１周５ｋｍのテストコースを２０周走行した後、晴天の日に、摩耗度識別線を視認により確認するに際し、摩耗度識別線確認までの時間、摩耗度合いの確認の容易性を評価した。また、これらとは別に、パターンノイズ及び偏摩耗性についても評価した。これらの結果を表１に付記する。
【００６０】
（摩耗度識別線確認までの時間）
各空気入りタイヤから１ｍ離間したユーザーが、しゃがんだ状態で目を開いてから摩耗度識別線を認識するまでの時間を計測した。この評価では、計測時間が短いほど摩耗度識別線が瞬時に判別できることが分かる。
【００６１】
（摩耗度合いの確認の容易性）
溝底からトレッド表面までの高さを、摩耗度識別線を参考にして判断することにより、摩耗度合を確認した。そして、この確認結果に基づいて従来例を基準（１００）とした指数評価を行った。この評価は、指数が大きいほど、摩耗度合いの確認が容易であることを示す。
【００６２】
（パターンノイズ）
平滑路面において、時速６０ｋｍで走行したときのパターンノイズをドライバーが官能評価した。そして、この評価結果に基づいて従来例を基準（１００）とした指数評価を行った。この評価は、指数が大きいほど、パターンノイズが小さいことを示す。
【００６３】
（偏摩耗性）
最もタイヤ赤道面に近い周方向溝について、溝底からトレッド表面までの最大寸法と最小寸法とを計測し、これらの比を計算した。そして、これらの比に基づいて従来例を基準（１００）とした指数評価を行った。この評価は、指数が大きいほど、偏摩耗していないことを示す。
【００６４】
【表１】
2014125119.tif 000003
【００６５】
表１によれば、本発明の技術的範囲に属する（トレッド部に形成された溝の溝壁面に、トレッド表面とは異なる色で摩耗度識別線を形成した）実施例１から実施例７の空気入りタイヤについては、いずれも、本発明の技術的範囲に属しない、従来例及び比較例１から比較例３の空気入りタイヤよりも、総合的に性能が高いことが判る。
【００６６】
本発明は以下の態様を包含する。
【００６７】
（１）トレッド部に形成された溝の溝壁面に、トレッド表面とは異なる色で摩耗度識別線を形成した、空気入りタイヤ。
【００６８】
（２）上記溝は、タイヤ周方向溝である、（１）に記載の空気入りタイヤ。
【００６９】
（３）記摩耗度識別線は、上記溝の深さ方向に複数本形成されている、（１）又は（２）に記載の空気入りタイヤ。
【００７０】
（４）上記摩耗度識別線は、異なる色で表示されている、（３）に記載の空気入りタイヤ。
【００７１】
（５）上記摩耗度識別線は、白又は有彩色で表示されている、（１）から（４）のいずれか１つに記載の空気入りタイヤ。
【００７２】
（６）上記摩耗度識別線の本数は５本以下である、（３）から（５）のいずれか１つに記載の空気入りタイヤ。
【００７３】
（７）上記摩耗度識別線の太さは、０．５ｍｍ以上２．０ｍｍ以下である、（１）から（６）のいずれか１つに記載空気入りタイヤ。
【００７４】
（８）上記摩耗度識別線は、蛍光塗料によって着色されたものである、（１）から（７）のいずれか１つに記載空気入りタイヤ。
【００７５】
（９）上記摩耗度識別線は、蓄光塗料によって着色されたものである、（１）から（８）のいずれか１つに記載空気入りタイヤ。
【符号の説明】
【００７６】
１    空気入りタイヤ
１０    トレッド部
１２    トレッド表面
１４    縦溝
１４ａ、１８ａ    壁面
１６、１６Ａ、１６Ｂ、１６Ｃ、１６Ｄ    陸部
１８    横溝
２０    飾り溝
２２、２４    摩耗度識別線
２２Ａ、２２Ｂ、２２Ｃ、２２Ｄ、２４Ａ、２４Ｂ、２４Ｃ、２４Ｄ    摩耗度識別線を構成する線
【図１】
2014125119.tif 000004
【図２】
2014125119.tif 000005